(57)【特許請求の範囲】
【請求項１】
照明手段で撮像空間内の１以上の被写体を照明し撮像手段で撮像して撮像画像を作成する撮像処理を許容し、編集対象の画像に対して編集手段で編集して編集画像を作成する編集処理を許容し、所定の画像を出力手段で出力する出力処理を実行する写真シール自動販売方法であって、
前記撮像空間の出入口は、上方に丈の短い風景用部材を備えて下方に開放部分を設け、該開放部分を通じて外部から前記撮像空間の内部の様子を窺うことが出来るように構成し、前記出入口の外側の地面に明度差を略均一化する平面部材を着設して、撮像画像における前記開放部分に該平面部材が写る構成にしておき、
前記撮像手段の角度変更を許容して撮像可能な範囲を変更可能にするステップを行い、
前記撮像手段により被写体を前記平面部材と共に複数回撮像して複数の撮像画像を取得するステップを行い、
該複数の撮像画像から、クロマキー合成用の合成用スタンプ画像と、背景に使用する基本背景画像とを作成するステップを行い、
前記編集処理にて、該合成用スタンプ画像を背景の上にスタンプの如く貼付可能に提供するステップを行う
写真シール自動販売方法。
【請求項２】
前記編集処理にて、背景ブラシによる人物以外の部分の塗布を許容する
請求項１記載の写真シール自動販売方法。
【請求項３】
照明手段で撮像空間内の１以上の被写体を照明し撮像手段で撮像して撮像画像を作成する撮像処理を許容し、編集対象の画像に対して編集手段で編集して編集画像を作成する編集処理を許容し、所定の画像を出力手段で出力する出力処理を実行する写真シール自動販売装置であって、
前記撮像手段を、角度変更を可能に形成して撮像可能な範囲を変更可能に構成し、
前記撮像空間の出入口は、上方に丈の短い風景用部材を備えて下方に開放部分を設け、該開放部分を通じて外部から前記撮像空間の内部の様子を窺うことが出来るように構成し、
前記出入口の外側の地面に、撮像画像における前記開放部分に写る明度差を略均一化する平面部材を着設し、
前記撮像手段により被写体を前記平面部材と共に複数回撮像して複数の撮像画像を取得し、
該複数の撮像画像から、クロマキー合成用の合成用スタンプ画像と、背景に使用する基本背景画像とを作成し、
前記編集処理にて、該合成用スタンプ画像を背景の上にスタンプの如く貼付可能に提供する構成とした
写真シール自動販売装置。
【請求項４】
前記編集処理は、背景ブラシによる人物以外の部分の塗布を許容する構成とした
請求項３記載の写真シール自動販売装置。
【発明の詳細な説明】
【０００１】
【発明の属する技術分野】
この発明は、例えば被写体を照明して撮像した画像を編集して印刷するような写真シール自動販売に関する。
【０００２】
【従来の技術】
従来、撮像手段で撮像空間内の被写体を撮像し、その撮像画像を編集手段で編集し、その編集画像を印刷手段で印刷した写真シールシートを販売する写真シール自動販売装置が存在している。
【０００３】
このような写真シール自動販売装置では、防犯上の理由により、撮像空間を囲繞する部材としてカーテンを吊下げ、出入口のカーテンは丈を短くして外から撮像空間内を確認できるように構成しているが、一方、最近では撮像手段の撮像方向を可動できるものも存在している。
【０００４】
【発明が解決しようとする課題】
しかし、正面を撮像した場合は、図２１の撮像画像イメージ図の（Ａ’）に示すように問題なく撮像できるものの、出入口の下側は常時解放されているため、例えば撮像手段を極端な角度に変更して撮像したときに、図中の（Ｂ’）に示すように出入口から床６２等、外界の様子が撮像範囲に入ることがあり、利用者の不満に繋がっていた。
【０００５】
すなわち、得られた写真シールの風景（被写体である人物以外の部分）に、店内の床面又は地面、順番待ちの利用者の足といった外界の様子が写り、これによって印刷された写真シールシートの見栄えが悪くなり、利用者の満足度を落としていた。特に、印刷後にこのような意図しない風景に気がついたときは、利用者に与える失望感と不満感の度合いは大きかった。
【０００６】
また、風景に外界の様子が写ることによってその部分の風景の明るさ（明度）が不均一となるため、つまり、被写体の背部側の風景である背景部分と外界の様子が写っている部分とで明るさが異なるため、落書き編集操作において、撮像画像の風景色（背景色）である白色の度合いを判断して人物以外の風景部分だけに色や絵柄を塗りつぶす背景ブラシ機能を利用した場合に、うまく風景が塗りつぶせない問題があった。
【０００７】
さらに、撮像画像からスタンプを作成する合成スタンプ機能においても、風景色である白色の度合いが均一でないことにより、スタンプの元となる人物の境界が風景からうまく抽出できず、利用者による手直しが必要になってスタンプ編集の手間がかかる問題があり、利用者の不満につながっていた。
【０００８】
また、カーテンは防犯上容易にめくれるように吊下げているため、撮像時にカーテンがめくれるとそこからも外界の様子が撮像されてしまうという問題あった。
【０００９】
この発明は、少なくとも撮像時に撮像範囲内から外界をほぼ隠蔽し、外界の写らない美しい撮像画像を取得可能にすると共に、防犯上内部の様子を窺うことが可能な写真シール自動販売方法とその装置を提案し、利用者の満足度を向上すると共に施設の防犯上の要望をも充足することを目的とする。
【００１０】
【課題を解決するための手段】
この発明は、照明手段で撮像空間内の１以上の被写体を照明し撮像手段で撮像して撮像画像を作成する撮像処理を許容し、編集対象の画像に対して編集手段で編集して編集画像を作成する編集処理を許容し、所定の画像を出力手段で出力する出力処理を実行する写真シール自動販売方法またはその装置であって、前記撮像手段を、角度変更を可能に形成して撮像可能な範囲を変更可能に構成し、前記撮像空間の出入口は、上方に丈の短い風景用部材を備えて下方に開放部分を設け、該開放部分を通じて外部から前記撮像空間の内部の様子を窺うことが出来るように構成し、前記出入口の外側の地面に、撮像画像における前記開放部分に写る明度差を略均一化する平面部材を着設し、前記撮像手段により被写体を前記平面部材と共に複数回撮像して複数の撮像画像を取得し、該複数の撮像画像から、クロマキー合成用の合成用スタンプ画像と、背景に使用する基本背景画像とを作成し、前記編集処理にて、該合成用スタンプ画像を背景の上にスタンプの如く貼付可能に提供する構成としたことを特徴とする。
【００１１】
これにより、例えば出入口の外側の外界が撮像範囲に入ることを防止することができる。
【００１２】
前記画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像を含む。
【００１３】
前記所定の画像は、前記撮像画像、前記デジタル画像、前記スキャニング画像、及び／又はこれらの画像を編集手段で編集した編集画像であることを含む。
【００１４】
前記出力手段は、画像を印刷する印刷手段、画像データを送信する通信手段、又は画像データを記憶媒体に書き込む記憶媒体リーダライタであることを含む。
前記風景用部材は、カーテン、樹脂板、鉄板、木板、及び／又はフィルムで構成することを含み、前記フィルムはカーフィルムなど片方向のみ光を透過するものを含む。
【００１５】
前記平面部材は、出入口の地面及び／又は撮像手段からの出入口方向の地面に着設することを含み、鉄板、木板、又は樹脂板で構成することができる。
前記出入口は、入口及び／又は出口であることを含む。
【００１６】
前記構成により、例えば撮像空間をカーテンで囲繞し、その出入口のカーテンを上半分程度とした通常の写真シール自動販売装置でも、平面部材を着設することで、前記出入口が撮像範囲に入ったときに前記平面部材を風景として撮像し、風景として意図しない外界が入ることを防止することができる。
従って、合成用スタンプ画像に人物以外の風景（例えば外界）が入ってしまうことが回避でき、容易に美しい合成画像を作成することができる。
【００１７】
また、例えば前記撮像手段の角度を極端に変更するといったことが可能となり、この場合でも、出入口から外界が撮像されることを防止できる。
【００１８】
また、合成用スタンプ画像を作成する最に外界が入らない被写体だけの合成用スタンプ画像が作成でき、該合成用スタンプ画像を背景となる基本背景画像にスタンプの如く貼り付けることができる。
【００１９】
好ましい実施の形態として、前記編集処理は、背景ブラシによる人物以外の部分の塗布を許容する構成とすることができる。
これにより、背景ブラシ機能の精度を向上することができる。
【００２０】
【発明の効果】
この発明により、人物以外の部分に意図しない外界が撮像されることを回避できると共に、その効果を得た状態で撮像範囲を拡角にする、あるいは撮像方向の変化幅を増大することが可能になり、撮像画像及び該撮像画像に基づく写真シールシートに対する利用者の満足度が向上する。また、人物以外の部分を略均一色にして前述の背景ブラシ機能及び合成スタンプ機能の精度を向上することが可能となる。
【００２１】
施設の経営者は、意図しない撮像結果による利用者の不満を防止して売上向上を図ることができると共に、撮像空間内を監視できて防犯上の満足を得るができる。
【００２２】
【発明の実施の形態】
この発明の一実施形態を以下図面と共に説明する。
まず、図１に示す概略斜視図、図２に示す正面図、図３に示す左側面図、図４に示す平面図（一部断面図）、及び図５に示す背面図と共に、写真シール自動販売機１の外観について説明する。
【００２３】
写真シール自動販売機１は、主要な装置を備えた略ボックス状の筐体２と、その正面側及び背面側の枠３を備える。正面側の前記枠３からは正面カーテン１２ａ、正面側カーテン１２ｂ，１２ｂ、撮像出入口カーテン１２ｃ，１２ｃ（左側図示省略）を吊下げ、これと天井板とで囲繞して撮像空間４を構成し、背面側の枠３からは編集出入口カーテン１２ｄ，１２ｄ（左側図示省略）、背面カーテン１２ｅを吊下げ、これと天井板とで囲繞して編集空間５を構成する。
【００２４】
前記カーテン１２（１２ａ，１２ｂ，１２ｃ，１２ｄ，１２ｅ）は、写真シール自動販売機１の正面のものを正面カーテン１２ａ、筐体２の正面側の側面に備えて前記正面カーテン１２ａと側部が重なるものを正面側カーテン１２ｂ、該正面側カーテン１２ｂと側部が重なる丈の短いものを撮像出入口カーテン１２ｃ、筐体２の背面側の側面に備えた丈の短いものを編集出入口カーテン１２ｄ、写真シール自動販売機１の背面のものを背面カーテン１２ｅとする。
【００２５】
該カーテン１２は、撮像条件を良くするため内面（撮像される面）を白色にすると共に、撮像空間４の側面に備えた正面側カーテン１２ｂを、正面側の角で平面視Ｌ字型に折り曲げて正面カーテン１２ａに少し被せた状態で吊下げる。
【００２６】
前記撮像空間４への出入口である撮像出入口カーテン１２ｃの下方外側の地面には、枠３の外側に接するように白色塗装の鉄板で、デジタルカメラ１９で撮像する前記出入口の外界を遮断し得る大きさの平面視四角形に形成した風景補助板４１，４１（左側図示省略）を左右対称に備える。
該風景補助板４１の正面側、背面側及び外側は、黄色と黒を交互に並べた立入禁止線５１で外周を塗装し、待機利用者の該風景補助板４１への立ち入りを禁止する。
【００２７】
前記撮像空間４の天井面には、被写体を上から斜め正面側へ略均一に照明するため、前記天井面一面を覆うように天井照明装置１１Ａを備える。
該天井照明装置１１Ａは、ストロボ発光するストロボ照明装置２１ａ（図示省略）、光を反射する反射板１４ａ（図示省略）、及び透過する光を拡散する拡散板１３ａ（図示省略）で構成し、撮像空間正面側を上から正面側へ斜めに略均一に照明する。
【００２８】
前記筐体２の正面には、図２の正面図に示すように中央縦に溝１７を備え、該溝１７上を上下移動可能にして正面視Ｕ字型のガイド２２を備える。
該ガイド２２の上端には、正面視円形のカメラユニット１８を該カメラユニット１８の側面中央近傍で枢着する。該カメラユニット１８は、図３に示す筐体２の左側面図に仮想線で示すように前後揺動可能にすると共に、カメラユニット１８の正面部を、図２に仮想線で示すように前後方向を枢軸にして回転可能に形成する。
【００２９】
該カメラユニット１８の正面は、中央にデジタルカメラ１９を備えてその下に撮像の際の画像確認用モニタである液晶モニタ２０を備える。
【００３０】
前記カメラユニット１８の下方、すなわちガイド２２の下部背面側には、斜め上方かつ背面方向外側に光を照射するストロボ照明装置２１ｂ，２１ｂを固着する。このカメラユニット１８とストロボ照明装置２１ｂとガイド２２とで、撮像照明ユニット３０を構成する。
【００３１】
前記撮像照明ユニット３０の背部である溝１７の上及び左右の周辺面は、図４の平面図に示すように平面視略扇形になるよう背部側を凹に形成して光を反射する反射板１４ｂを備え、その左右及び上部の正面側には光を拡散する拡散板１３ｂを備える。
【００３２】
該拡散板１３ｂの内側辺から前記反射板１４ｂに向かっては、前後方向垂直に透明板３１を備え、前記拡散板１３ｂが安定するように固定している。この拡散板１３ｂ、反射板１４ｂ、及びストロボ照明装置２１ｂとで、カメラ対応照明装置１１Ｂを構成する。
【００３３】
前記拡散板１３ｂの左右部と前記反射板１４ｂとの間には、蛍光灯照明装置１５，１５を配設する。
【００３４】
筐体２の下部は、図１に示すように前面を傾斜面とその下の垂直面で構成し、図２に示すように前記傾斜面の左端に硬貨を投入する貨幣投入口１６ａを備え、右端にデジタルカメラ１９のズームイン及びズームアウト、確認ＯＫ又はキャンセル等の操作を入力する操作部２４を備える。
【００３５】
該操作部２４の左横には、撮像画像を確認するディスプレイ２３を備え、前記垂直面の中央には、筐体２の内部に備えたストロボ照明装置２１ｃ（図３）の照明光を拡散する拡散板１３ｃを備え、該拡散板１３ｃと前記ストロボ照明装置２１ｃとで床面照明装置１１Ｃを構成する。
【００３６】
筐体２の左側面下部には、図３に示すように写真シールシートを排出するシール排出口２６ａを備え、その内部には、図６に示す写真シール自動販売機１を正面左上から見た部分拡大図（一部断面図）に示すようにプリンタ２６を備えて、該プリンタ２６の下にパソコンで構成した制御装置１０を備える。
【００３７】
前記プリンタ２６には、シール紙ユニット６がセットされており、該シール紙ユニット６は、ロール状に巻いたシール紙６ａと、正規品か否かを識別させる識別データ等のデータを記憶させたＩＤタグ６ｂとで構成する。
前記プリンタ２６の背部にはＩＤタグリーダ／ライタ２５が備え付けられており、前記ＩＤタグ６ｂに記憶の前記データを読み取る。
【００３８】
筐体２の背面には、図５の背面図に示すように落書き編集時の表示及び入力を行うタッチモニタ２７，２７及び該タッチモニタ２７に入力するためのタッチペン２７ａ，２７ａを備える。
【００３９】
以上の構成により、カメラユニット１８の角度を極端な角度にしたときでも、デジタルカメラ１９で撮像可能な範囲の風景は、カーテン１２又は風景補助板４１で構成され、地面（施設の床面）を意図せず撮像することを防止できる。
【００４０】
次に図７に示す回路ブロック図と共に、写真シール自動販売機１の構造について説明する。
写真シール自動販売機１は、ＣＰＵ，ＲＯＭ，ＲＡＭを備えて各装置の制御動作を実行する制御装置１０と、該制御装置１０に接続した蛍光灯照明装置１５、貨幣処理装置１６、デジタルカメラ１９、ストロボ照明装置２１、ディスプレイ２３、操作部２４、ＩＤタグリーダ／ライタ２５、プリンタ２６、タッチモニタ２７、スピーカ２８、及び電源ユニット２９を備えると共に、前記デジタルカメラ１９に接続した液晶モニタ２０を備える。
【００４１】
前記制御装置１０は、前述の通り各装置の制御処理を実行する。また、後述するように撮像画像を合成用スタンプ画像に変換する画像処理、すなわち撮像画像から背景色（風景色）である白色部分にマスクをかけて、被写体のみを合成用スタンプ画像として基本背景画像に貼り付けるクロマキー合成を可能にする画像処理を実行する。
【００４２】
前記蛍光灯照明装置１５は、制御装置１０から照明制御信号を受け取り、利用者がプレイ中は常に点灯して撮像空間４内を明るく照明する。
【００４３】
前記貨幣処理装置１６は、コインセレクタ及びコイン収納部（図示省略）で構成して前述の貨幣投入口１６ａの内部に備え、投入された硬貨の真偽判別、金種判別、及び収納を行い、投入枚数を枚数情報として前記制御装置１０に送信する。なお、この硬貨投入はプレイ開始信号にもなる。
【００４４】
前記デジタルカメラ１９は、前記制御装置１０から受取るシャッタ信号で撮像を実行し、撮像した静止画データ及び撮像前後に撮影している動画映像の動画データを画像データとして制御装置１０に送信する。また、前記動画映像は、液晶モニタ２０にもビデオ信号として送信する。
前記液晶モニタ２０は、前述の通りデジタルカメラ１９からビデオ信号を受け、該デジタルカメラ１９で撮影している動画映像をプレビュー表示する。
【００４５】
前記ストロボ照明装置２１は、制御装置１０から受取る照明制御信号で発光制御され、前記デジタルカメラ１９での撮像と同期をとってストロボ発光を実行する。
【００４６】
前記ディスプレイ２３は、前記制御装置１０よりＲＧＢ信号を受信し、該信号に従って前記デジタルカメラ１９で撮影している動画映像をプレビュー表示する、あるいは撮像した撮像画像を静止画表示して利用者に撮像画像を確認させるといった表示を実行する。
【００４７】
前記操作部２４は４つのボタンスイッチで構成しており、利用者に各ボタンスイッチを押下されることで、シール分割数等の各種選択、決定、キャンセル、及び前記デジタルカメラ１９のズームイン／ズームアウトといった入力を受け、押下されたボタンを選択入力信号として制御装置１０に送信する。
【００４８】
前記ＩＤタグリーダ／ライタ２５は、シール紙ユニット６に備えたＩＤタグ６ｂに記憶されているデータを読取信号で読取り、更新信号で前記データの更新を実行する。これによって、シール紙ユニット６が正規のものであるか否かを判定し、印刷回数を読み取って交換が必要か否かを判定すると共に、必要に応じて印刷回数であるカウント数を上書きする等の更新処理を実行する。
【００４９】
前記プリンタ２６は、前記制御装置１０よりプリント画像データを受信し、受信したプリント画像をシール紙ユニット６のシール紙６ａに印刷し、作成した写真シールシート６ｃ（図６）を排出する。
【００５０】
前記タッチモニタ２７は、制御装置１０から受けるＲＧＢ信号に従って落書き編集を行う画像を表示すると共に、利用者によってタッチペン２７ａ（図５）で撮像開始や落書き編集等の指示が入力され、その座標信号を入力信号として前記制御装置１０に送信する。
【００５１】
ここで、落書き編集とは、タッチモニタ２７上の操作を示し、該タッチモニタ２７には、落書き用のメニュー画面と撮像画像を表示する。利用者は、前記メニュー画面上の操作ボタンを選択して撮像画像にタッチペン２７ａによる落書きを行うことができ、カラーペン、カラースタンプなどのアイテムで撮像画像を画像処理する操作や、合成用スタンプ画像を基本背景画像に配置して合成する操作ができる。なお、落書き編集中は残時間（又は経過時間）を表示している。
【００５２】
前記スピーカ２８は、制御装置１０から音声信号を受け取り、写真シール自動販売機１の説明や操作を促すアナウンス等の音声を発声する。
前記電源ユニット２９は、写真シール自動販売機１の動作に必要な電源を供給する。またＵＰＳ（Uninterruptible Power Supply）でバックアップをとることで、ブレーカ断時にも制御装置１０に内蔵のハードディスクの破損を回避するよう構成している。
【００５３】
以上の構造により、写真シール自動販売機１は、天井照明装置１１Ａ、カメラ対応照明装置１１Ｂ、及び床面照明装置１１Ｃに内蔵する各ストロボ照明装置２１を撮像と同期をとって発光させ、該ストロボ照明装置２１の照明を得てデジタルカメラ１９で撮像を実行し、タッチモニタ２７で落書き編集を許容してプリンタ２６でシール紙６ａに画像を印刷した写真シールシート６ｃを作成、排出する。これによって撮像時に十分な照明が得られ、被写体と共に風景となるカーテン１２と風景補助板４１をも明るく照明することができる。
【００５４】
次に、図８に示す制御装置１０の処理フロー図と共に、写真シール自動販売機１の動作について説明する。
利用者（被写体）によって貨幣投入口１６ａに硬貨（コイン）が投入されると、制御装置１０はプレイを開始する（ステップｎ１）。
【００５５】
制御装置１０は、スピーカ２８に音声信号を送信し、この写真シール自動販売機１の機能の概要を説明すると共に、利用者に写真シールの分割数を操作部２４で選択させる（ステップｎ２）。
次いで制御装置１０は、後の落書き編集工程で実行可能な機能である合成機能について利用者に説明する（ステップｎ３）。この説明では、合成機能として、最初の撮像画像を基本背景画像として背景に使用し、次に撮像する撮像画像を合成用スタンプ画像として、前記基本背景画像にスタンプの如く貼り付け可能にする機能があること、３回目と４回目の撮像画像はそれぞれ基本背景画像と合成用スタンプ画像のどちらにも使用できることをアナウンスする。
【００５６】
１回目の撮像として、制御装置１０はスピーカ２８での音声によるカウントダウンと共にデジタルカメラ１９で撮像を実行し、制御装置１０は該撮像画像から基本背景画像を作成する（ステップｎ４）。
【００５７】
前記撮像による撮像画像をディスプレイ２３に表示し、利用者が操作部２４でＯＫを選択するまで前記撮像を繰り返し（ステップｎ５）、ＯＫであれば利用者に対して撮像画像の明るさ（明度）を操作部２４でソフトウェア的に調整することを許容する（ステップｎ６）。この明るさの調整は、図９の画面イメージ図に示すように、ディスプレイ２３の画面下側に明るさの諧調をレベル表示する明度調整部２３ａを表示し、該明度調整部２３ａ内に左右方向に並置した明度調整バー２３ｂを操作部２４（図２）で選択させることによって、段階的に明度を変更して調整する。利用者は、撮像画像表示部２３ｃの表示で明るさを確認して操作部２４で決定する。
【００５８】
２回目の撮像として、制御装置１０はスピーカ２８での音声によるカウントダウンを実行すると共にデジタルカメラ１９で撮像を実行し、制御装置１０は該撮像画像からクロマキー合成用の合成用スタンプ画像を作成する（ステップｎ７）。
【００５９】
前記撮像による撮像画像をディスプレイ２３に表示し、利用者が操作部２４でＯＫを選択するまで前記撮像を繰り返し（ステップｎ８）、ＯＫであれば利用者に対して前述した撮像画像の明るさの調整を許容する（ステップｎ９）。
【００６０】
３回目（又は４回目）の撮像として、制御装置１０はスピーカ２８での音声によるカウントダウンを実行すると共にデジタルカメラ１９で撮像を実行し、制御装置１０は１つの撮像画像から基本背景画像及び合成用スタンプ画像を作成する（ステップｎ１０）。
【００６１】
前記撮像による撮像画像をディスプレイ２３に表示し、利用者が操作部２４でＯＫを選択するまで前記撮像を繰り返し（ステップｎ１１）、ＯＫであれば利用者に対して前述した撮像画像の明るさの調整を許容する（ステップｎ１２）。
【００６２】
前記ステップｎ１０での撮像画像（基本背景画像及び合成用スタンプ画像）を２枚キープするまでステップｎ１０からステップｎ１１を繰り返し（ステップｎ１３）、２枚キープすると制御装置１０はタイムオーバー（制限時間超過）となっていないか確認する（ステップｎ１４）。
【００６３】
時間がまだ余っていた場合は、利用者に撮り直しさせることを許容し（ステップｎ１５）、操作部２４で基本背景画像の撮り直しか（ステップｎ１６）合成用スタンプ画像の取り直しか（ステップｎ１７）を選択させる。
【００６４】
制御装置１０は、デジタルカメラ１９での撮像を実行して（ステップｎ１８）利用者によって操作ボタン２４でＯＫが選択されるまで繰り返す（ステップｎ１９）。
【００６５】
ＯＫであれば利用者に対して撮像画像の明るさ（明度）を操作部２４でソフトウェア的に調整することを許容する（ステップｎ２０）。
【００６６】
制御装置１０は、ＲＡＭに記憶している前記ステップｎ１５で選択した側の画像（基本背景画像又は合成用スタンプ画像）を古い撮像画像から今撮像した撮像画像に差し替える（ステップｎ２１，ｎ２２）。
【００６７】
制御装置１０は、タイムオーバー（制限時間超過）となっていないか確認し（ステップｎ２３）、時間が余っていればステップｎ１５に再度戻って撮り直しを許容し、タイムオーバーとなっていた場合はステップｎ２４に処理を進める。
【００６８】
制御装置１０は、ディスプレイ２３の画像（文字を含む）の表示とスピーカ２８でのアナウンスにより、落書き編集は筐体２の背面で実行することを伝えて移動を促し（ステップｎ２４）、筐体２の背面に備えたタッチモニタ２７，２７で各撮像画像を表示して後述する落書き編集を許容する（ステップｎ２５）。なお、この落書き編集のとき、基本背景画像及び合成アイテム用画像として利用できる画像は各３枚となっており、３枚の基本背景画像に対してどの合成アイテム用画像であっても合成可能に設定している。また、合成アイテム用画像をクロマキー合成するためのマスク領域の境界が滑らかでないなど不適切な場合には、落書き編集工程内でタッチペン２７ａを用いて利用者が個別に修正できるように設定している。
【００６９】
制御装置１０はプリンタ２６にプリント画像データを送信して撮像画像及び／又は該撮像画像に落書き編集を施した編集画像をシール紙６ａに印刷し（ステップｎ２６）、シール排出口２６ａから写真シールシート６ｃを排出し（ステップｎ２７）、処理を終了する。
【００７０】
次に、前述のステップｎ２５の落書き編集について、図１０に示す処理フロー図と共に、図１１に示す落書き編集画面の画面イメージ図、及び図１２に示す合成用スタンプ画像編集画面の画面イメージ図を参照して説明する。
落書き編集処理に入ると、制御装置１０は、利用者によってタッチペン２７ａ（図５）でタッチモニタ２７（図５）がタッチされるのを待つ入力待ち状態になる（ステップｓ１）。
【００７１】
図１１に示す７つのペンボタン２７ｃのいずれかがタッチされた場合には（ステップｓ２）、仮想線で示すアイテム詳細選択枠２７ｂにペンの種別、太さを選択させる画像（図示省略）を表示してタッチペン２７ａ（図５）で選択させ（ステップｓ３）、撮像画像に落書きさせる落書き編集枠２７ｋで前記ペンによるペン描画を許容する（ステップｓ４）。
【００７２】
前記ペンボタン２７ｃの右側に表示した７つのスタンプボタン２７ｄのうち、「マジックスタンプ」と表示した合成スタンプボタン２７ｅ以外のものがタッチされた場合には（ステップｓ５）、アイテム詳細選択枠２７ｂにスタンプの種別を選択させる画像（図示省略）を表示して選択させ（ステップｓ６）、撮像画像に落書きさせる落書き編集枠２７ｋで前記スタンプによるスタンプ描画を許容する（ステップｓ７）。
【００７３】
前記ステップｓ５でスタンプボタン２７ｅがタッチされた場合には、アイテム詳細選択枠２７ｂに撮像画像をサムネイル表示する合成スタンプ選択ボタン２７ｈを表示して、使用する合成用スタンプ画像を選択させる（ステップｓ８）。
【００７４】
「マジックスタンプを作る」と表示した合成スタンプ編集ボタン２７ｆをタッチされた場合には（ステップｓ９）、図１２に示す合成用スタンプ画像編集画面を表示して合成用スタンプ画像の編集を許容する（ステップｓ１０）。この合成用スタンプ画像の編集では、合成スタンプ表示枠２７ｍに編集する合成用スタンプ画像を表示し、復元ボタン２７ｎを選択された場合には、ペン２７ｐで透明になる部分（マスク部分）を不透明にする編集を可能にする。透明化ボタン２７ｏを選択された場合には、ペン２７ｐで不透明である部分を透明にする編集を可能にし、合成スタンプ表示枠２７ｍに表示する合成用スタンプ画像は、サムネイル表示した合成スタンプ選択ボタン２７ｑで選択可能にする。落書きに戻るボタン２７ｒをタッチされると、合成スタンプ編集処理を終了して図１１に示した落書き編集画面を表示する。
【００７５】
前記ステップｓ９で合成スタンプ編集ボタン２７ｆがタッチされないか、前記ステップｓ１０が終了すると、合成スタンプ配置属性ボタン２７ｇ，２７ｇで被写体である人物の前にスタンプするか後ろにスタンプするかを選択させ（ステップｓ１１）、合成スタンプ選択ボタン２７ｈで合成スタンプを選択させてサイズ選択ボタン２７ｉで大きさを選択させる（ステップｓ１２）。
【００７６】
回転ボタン２７ｊで合成用スタンプ画像の配置角度を選択させ（ステップｓ１３）、落書き編集枠２７ｋにタッチペン２７ａ（図５）で配置する位置をタッチさせて、合成用スタンプ画像の配置を決定する（ステップｓ１４）。
制御装置１０は、落書き編集枠２７ｋに表示している撮像画像に前記合成用スタンプ画像を合成する（ステップｓ１５）。
【００７７】
このように、利用者は、図１１と共に説明した落書き編集画面、及び図１２と共に説明した合成用スタンプ画像編集画面を行き来して、落書き編集を実行することができる。
【００７８】
なお、前記図１２において、「こんなスタンプになるよ」と書かれた部分には編集結果を実際のスタンプ配置に近いサイズでサムネール表示させ、かつ、スタンプ配置した際に風景が透過する部分をハッチ柄で表示することで、利用者にスタンプのサイズと編集した結果スタンプがどのような形になるか目視でわかりやすく示している。
【００７９】
また、合成スタンプ表示枠２７ｍに表示された「ここは透明になるよ」という表示は、スタンプ合成時に風景が透過する部分を「透明」という表現で示しており、透明と書かれた文字部分は風景が透過し、見えない部分は被写体が残るため、どこまで編集が終了してどこが残っているのかを利用者にわかりやすく示している。
【００８０】
また、前記図１１で背景ブラシボタン２７ｌをタッチされた場合には、図１３に示す背景ブラシ使用画面を表示し、白を判別するクロマキー機能によって撮影画像から被写体と風景（背景）を判別し、ペンボタン２７ｃで選択した太さ、色、絵柄で風景のみにブラシで塗布することを許容する。
【００８１】
前記背景ブラシボタン２７ｌの下方にはブラシメニューが表示されており、各ブラシメニューには次の機能を設定している。
どこでもブラシ２７ｔは、クロマキー機能は使用せずに被写体、背景区別せずに塗りつぶす。
【００８２】
かなり広め２７ｕは、クロマキー機能を使用して被写体、風景を区別して風景だけをペンで塗りつぶす。ただし、風景領域を多く判別するような敷居値としてクロマキー敷居値を設定しているため、時には境界が被写体に重合することもある。
【００８３】
落書き範囲広め２７ｖは、前記かなり広め２７ｕと同様の機能を有し、かなり広め２７ｕに比較して背景を少なく判別するように敷居値を変更している。
背景のみＯＫ２７ｗは、前記落書き範囲広め２７ｖと同様の機能を有し、落書き範囲広め２７ｖに比較してさらに背景を少なく判別するように敷居値を変更している。
【００８４】
落書き範囲狭め２７ｘは、前記背景のみＯＫ２７ｗと同様の機能を有し、背景のみＯＫ２７ｗに比較してさらに背景を少なく判別するように敷居値を変更しており、背景ブラシで塗れる範囲が狭くなる。
【００８５】
このように、かなり広め２７ｕ、落書き範囲広め２７ｖ、背景のみＯＫ２７ｗ、及び落書き範囲狭め２７ｘについては、かなり広め２７ｕは背景ブラシで塗れる範囲を広く取れるようにクロマキーパラメータを調整したもので、該かなり広め２７ｕから落書き範囲狭め２７ｘにいくに従って、背景ブラシで塗れる背景の領域が狭くなるように設定している。
【００８６】
これにより、撮影時の服装や多人数時の微妙な影などの原因で、クロマキー時の風景と被写体の敷居値が影響を受けても、前記ブラシメニューによってその影響を極力吸収した形で効率の良い落書き遊びを行うことができる。
【００８７】
なお、背景ブラシを利用するためのツールとして、画面上部には使用できる塗りつぶし色、絵柄を選択できる塗りつぶし色選択メニュー２７ｙを表示し、前記背景ブラシボタン２７ｌの右上にはブラシ太さを選ぶブラシサイズ選択メニュー２７ｚを表示する。
【００８８】
前記ブラシサイズ選択メニュー２７ｚの右上にはいっぺんに塗りつぶすボタン２７ｓを表示し、これをタッチされると、図１３の落書き編集枠２７ｋに表示しているように、クロマキーの閾値に従い風景と判別された部分を指定した絵柄もしくは色で一括して塗りつぶす。
本機能により同一色、絵柄で背景だけを塗りつぶしたいときは、効率良く
落書き操作を行うことができる。
【００８９】
以上の動作により、利用者は撮像画像及び／又は編集画像を印刷した写真シールシート６ｃを取得することができる。
このようにして撮像された撮像結果は、図１４に示す撮像画像イメージ図のように、通常に撮像した撮像画像（Ａ）の場合は当然問題なく、カメラユニット１８を極端な角度にして撮像した撮像画像（Ｂ）であっても、出入口には風景補助板４１が写っており、従来であれば施設の床面等の外界が写っていた問題が解消されて、風景を美しく撮像することができる。
【００９０】
また、天井照明装置１１Ａ、カメラ対応照明装置１１Ｂ、及び床面照明装置１１Ｃで全体的に略均一に明るく照明しているため、撮像画像も全体的に明るくなり、カーテン１２に比較して距離の遠い風景補助板４１も十分照明し、明度差の問題なくクロマキー合成用の合成アイテム用画像を作成できる。
【００９１】
すなわち、図中の（Ｃ）に示すように、合成用スタンプ画像を作成して配置し、風景に例えばレンガ模様を合成するといった操作の際に、風景の明度差の略均一化によって合成用スタンプ画像に人物以外の風景（例えば外界）が入ってしまうことが回避でき、容易に美しい合成画像を作成することができる。
【００９２】
利用者は、前記合成画像にさらにペンボタン２７ｃで落書きを行うことで、図１５の編集画像イメージ図に示すように、合成用スタンプ画像や背景ブラシ等で画像を合成すると共にペンボタン２７ｃによる落書きを行った編集画像を得ることができ、該編集画像を利用者の選択に基づいて例えば均等８分割に配置して印刷することで、図１６の写真シールシートイメージ図に示すように、前記編集画像を８つ均等に配置して印刷した写真シールシート６ｃを得ることができる。
【００９３】
以上の効果により、合成用スタンプ画像を作成する最に外界が入らない被写体だけの合成用スタンプ画像が作成できると共に、複数回の撮像画像を合成する処理や１回の撮像画像に対して、被写体（合成用スタンプ画像）を重ねて合成しても影の方向や濃度の違いといった違和感のない自然な編集画像を得ることができ、写真シールシート６ｃに対する利用者の満足度は飛躍的に向上する。
【００９４】
次に、他の実施形態について、図１７、図１８、図１９に示す風景補助構造説明図と共に説明する。
まず図１７と共に撮像出入口カーテン１２ｃの形状を変更する場合について説明する。
【００９５】
この実施形態では、図中の（Ａ）の斜視図に示すように第１の実施形態での撮像出入口カーテン１２ｃの下辺に内側に向けて巻き癖をつけた内巻き部１２ｆで風景補助手段を形成し、該カーテン１２ｃの外側に正面側カーテン１２ｂを一部重ねるように構成する。
【００９６】
さらに、第１の実施形態での風景補助板４１は、左右方向の幅を短く形成して風景補助板４１ａとし、その正面側に同様の風景補助板４１ｂを着設する。
【００９７】
以上の構成により、図中の（Ｂ）の正面図に示すように、第１の実施形態であればデジタルカメラ１９の撮像範囲は図の仮想線のように広かったため、風景補助板４１もそれだけ幅広に形成する必要があったが、撮像出入口カーテン１２ｃの下辺を内巻きにした内巻き部１２ｆの分だけ風景補助板４１ａを幅狭にすることができる。
【００９８】
また、風景補助板４１ｂにより、撮像時にカーテン１２ｂが風でめくれた場合であっても、その隙間を風景補助板４１ｂで補助することができ、外界の写りこみを防止することができる。なお、前記撮像出入口カーテン１２ｃの巻き癖に代えて、前記撮像出入口カーテン１２ｃの下辺に内側へ傾斜させた板状部材を備え付けた風景補助手段に構成にしても同様の効果を得ることができる。
【００９９】
次に、片方向のみ光を透過するフィルムを使用する場合について、図１８と共に説明する。
この場合は、図中の（Ｃ）の斜視図に示すように、撮像出入口カーテン１２ｃの下方に片方向のみ光を透過するカーフィルム等のスモークやハーフミラーと同機能のフィルム４２を備え、該フィルム４２及び前記撮像出入口カーテン１２ｃで出入口を塞ぐようにして風景補助手段を形成する。
【０１００】
これにより、撮像空間４内は通常明るく照明されているため外界からフィルム４２を通して撮像空間４内が確認でき、撮像時にはフィルム４２で外界が写らないようになる。
【０１０１】
このフィルム４２を設ける場所は、撮像出入口カーテン１２ｃに限らず図中の（Ｄ）の斜視図に示すように正面カーテン１２ａ及び正面側カーテン１２ｂの下方に設けても良いし、正面カーテン１２ａ及び正面側カーテン１２ｂのどちらか一方のみに設けてもよい。
【０１０２】
次に、撮像前後に撮像出入口カーテン１２ｃ等を可動して、撮像時に撮像範囲から外界を遮断する場合について図１９と共に説明する。
この場合は、図中の（Ｅ）の斜視図に示すように撮像出入口カーテン１２ｃを巻き上げ／下げ可能にするロールスクリーン装置１２１を備え、該ロールスクリーン装置１２１の内部には図７の仮想線に示すモータ１２２を備える。
【０１０３】
前記モータ１２２は正逆回転するパルスモータで形成し、制御装置１０からの回転制御信号によって正逆回転して、撮像出入口カーテン１２ｃの巻き上げ／下げを実行するようにして、該ロールスクリーン装置１２１で風景補助手段を構成する。
【０１０４】
これにより、通常は撮像出入口カーテン１２ｃを半分程度巻き上げておき、利用者がプレイを開始するとモータ１２２を正回転させて撮像出入口カーテン１２ｃを地面の高さまで下げ、撮像処理が終了すると共にモータ１２２を逆回転させて撮像出入口カーテン１２ｃを巻き上げて、プレイ時間外は撮像空間４内を確認できると共に、撮像時には外界が写りこまないようにすることができる。
【０１０５】
なお、ロールスクリーン装置１２１の素材に前述のハーフミラー効果を有するスクリーンを使用し、貨幣投入口１６ａへの硬貨投入と共に該スクリーンを下ろす構成にしても良い。これにより、撮像空間４を密閉して利用者が撮像に集中することができ、利用者の満足度が向上すると共に、スクリーンはハーフミラーなので外から内部の様子が見えて防犯上の施設の要求も満足することができる。
【０１０６】
また、図中の（Ｆ）の斜視図に示すように、撮像出入口カーテン１２ｃに代えて自動ドア１２３を備えても良い。
該自動ドア１２３は図７に仮想線で示したモータ１２２で開閉制御され、プレイ開始時に自動ドア１２３を閉鎖し、撮像処理終了時に自動ドア１２３を解放する。
これにより、プレイ時間外は撮像空間４内を確認できると共に、撮像時には外界が写りこまないようにすることができる。
【０１０７】
なお、この実施形態で、撮像空間４及び／又は編集空間５内に監視カメラを備え、該監視カメラの映像で内部の様子を把握して防犯する構成にしても良い。これによれば、常に監視カメラで内部を監視できるため、自動ドア１２３を常時閉じた状態にしておき、利用者の出入時のみ開閉するように構成することができる。
【０１０８】
また、前記監視カメラは、店舗担当者の管理室に有線もしくは無線にて接続して管理室の表示装置で確認できる構成にしても良いし、前記監視カメラを撮像空間４のみならず編集空間５にもとりつけ、かつ、写真シール自動販売機１の側面に小型テレビを備え、または写真シール自動販売機１の横に大型テレビを設置し、これらテレビに映像出力して表示するように構成しても良い。
【０１０９】
これにより、撮像、落書き編集が完了し印刷を待つ利用者と、撮像の順番を待つ利用者に映像が公開されるため、いたずら等の迷惑行為に対する防犯性を高めることができる。
【０１１０】
またこれにより、印刷待ち利用者や撮像待ち利用者にとっては、前記テレビの映像を見て研究し、他人の実地操作映像から、実際に即した遊び方、思いもかけない落書き編集機能の使い方、ユニークな撮像のポーズの撮り方などを発見・学習することができ、写真シール自動販売機１の外に説明表示された遊び方以上に楽しくユニークな遊び方を知ることができるメリットがある。
【０１１１】
加えて、前記監視カメラを撮像空間４及び編集空間５に備え付け、撮像空間４側にあるディスプレイ２３には編集空間５の映像を表示面の一部に小さく表示（スーパーインポーズなど）し、逆に編集空間５側にあるタッチモニタ２７には撮像空間４の映像を表示部の一部に小さく表示しても良い。これにより、特に同じ友人のグループで撮像、落書き編集していた場合に、互いの様子を確認して楽しめると共に、さらに前記映像を任意のタイミングでキャプチャし、それぞれ撮像画像、合成用スタンプ画像に取り込めるように構成すれば、撮像中に互いの実況中継中の映像を取り込んで写真シールシート６ｃとして印刷でき、いわゆるテレビ電話やチャットのような思いがけない面白さを演出することができる。
【０１１２】
また、前記監視カメラがあれば自動ドア１２３を手動のドアに替えても良いし、前述の撮像出入口カーテン１２ｃを地面まで届く長さに形成して撮像空間４を完全に囲繞する構成にしても良い。
【０１１３】
また、上述の各実施形態において、ストロボ照明装置２１は、図２０のストロボ照明説明図の（Ｃ）に示すように、発光部２１ｄの上半分を拡散板２１ｅで覆うようにして構成しても良い。これにより、近距離の照明光が抑制され、図中の（Ｄ）に示すように、本来仮想線５１に示すように距離に対して急激に減衰する照明光が、実線５２で示すようになだらかな減衰となり、近距離及び遠距離共に略均一に照明することができるため、カーテン１２と風景補助板４１の距離による明度差が減少する。
【０１１４】
また、ストロボ照明装置２１の光度が強い場合（光量が多い場合）は、前記発光部２１ｄの一部を黒色の樹脂板やビニールテープ等の遮光部材で覆っても良い。これにより、ストロボ照明装置２１の設計変更を行わずとも、低コストで光度の微調整を行うことができる。
【０１１５】
また、カーテン１２、自動ドア１２３及び風景補助板４１は、白色に限らず青色又は緑色で塗装してクロマキー合成に適した色に構成してもよいし、その他の色で構成しても良い。
また、風景補助板４１は、撮像空間４の床面と同一素材又は別素材で構成しても良いし、撮像空間４の床面の延長として該床面と風景補助板４１を一体に形成しても良い。
【０１１６】
また、立入禁止線５１（図１）に替えて、「撮影中は立ち入り禁止」の看板を出入口近辺に供えても良いし、風景補助板４１の正面側に普通人の腰程度の高さで平行な停止棒を備え、順番待ちの利用者を該停止棒の前で待機させるように構成しても良いし、これらを備えなくても良い。前記停止棒を備えた場合は、利用者は順番になると該停止棒を上げ、風景補助板４１を踏んで撮像出入口カーテン１２ｃから撮像空間４に入って撮像を実行することができる。
【０１１７】
また、ストロボ照明装置２１ｂをさらに後方にずらすか下方にずらして備え、カメラユニット１８の揺動時に指詰めなどのトラブルを回避するように構成しても良いし、ストロボ照明装置２１ｂを後方にずらしてカメラユニット１８の背部に位置するように構成し、カメラユニットの下部に配置していたストロボ照明装置２１ｂの高さ分だけ下方移動を延長するように構成しても良い。
【０１１８】
また、カメラユニット１８の上下動に加えて揺動及び／又は回転にも対応して照明方向を変更するように、カメラユニット１８自体にストロボ照明装置２１ｂを備え付けても良い。これにより、ストロボ照明装置２１ｂの照明方向は、カメラユニット１８の上下移動と共に俯仰及び時計方向、反時計方向の回転にも同期する構成となり、撮像方向に完全対応して照明することができる。
【０１１９】
また、デジタルカメラ１９に広角変換レンズを備え付けてもよい。これにより、奥行きの狭い撮像空間４であっても、広い撮像範囲を確保して全身撮像や多人数での撮像に対応することができ、出入口から外界が撮像される問題も風景補助板４１等で解消して問題なく対応することができる。
【０１２０】
また、床面照明装置１１Ｃを筐体２の下部左右に配設し、ディスプレイ２３を備えない構成にしてもよい。これにより、カメラユニット１８をさらに下方へ移動可能にすることができる。
【０１２１】
また、拡散板１３は、半透明の樹脂材又はガラス材で形成しても良いし、光を透過し得る厚さの紙又は布で形成しても良い。
【０１２２】
また、反射板１４は光が反射すればよいので、白色に変えて銀色等の色で塗装しても良いし、銀メッキや金メッキ等のメッキ処理を施してもよいし、素材を紙等の拡散効果の高いものにしてもよい。
【０１２３】
この発明の構成と、上述の実施形態との対応において、
この発明の写真シール自動販売装置は、実施形態の写真シール自動販売機１に対応し、
以下同様に、
風景用部材は、撮像出入口カーテン１２ｃ、及び、編集出入口カーテン１２ｄに対応し、
撮像手段は、デジタルカメラ１９に対応し、
照明手段は、ストロボ照明装置２１に対応し、
出力手段は、プリンタ２６に対応し、
編集手段は、タッチモニタ２７に対応し、
平面部材は、風景補助板４１に対応し、
この発明は、上述の実施形態の構成のみに限定されるものではなく、多くの実施の形態を得ることができる。
【図面の簡単な説明】
【図１】写真シール自動販売機の外観を示す概略斜視図。
【図２】写真シール自動販売機の筐体の外観を示す正面図。
【図３】写真シール自動販売機の筐体の外観を示す左側面図。
【図４】写真シール自動販売機の筐体の外観を示す平面図（一部断面図）。
【図５】写真シール自動販売機の筐体の外観を示す背面図。
【図６】写真シール自動販売機の筐体の内部を示す部分拡大図（一部断面図）。
【図７】写真シール自動販売機の制御回路を示すブロック図。
【図８】写真シール自動販売機の動作を示す処理フロー図。
【図９】撮像画像の明るさを調整する画面の画面イメージ図。
【図１０】落書き編集時の動作を示す処理フロー図。
【図１１】落書き編集を実行する画面の画面イメージ図。
【図１２】合成用スタンプ画像を編集する画面の画面イメージ図。
【図１３】背景ブラシを使用する画面の画面イメージ図。
【図１４】撮像画像及び編集画像のイメージ説明図。
【図１５】編集画像のイメージ説明図。
【図１６】写真シールシートのイメージ説明図。
【図１７】他の実施形態における写真シール自動販売機の風景補助構造説明図。
【図１８】他の実施形態における写真シール自動販売機の風景補助構造説明図。
【図１９】他の実施形態における写真シール自動販売機の風景補助構造説明図。
【図２０】他の実施形態におけるストロボ照明装置の外観と機能を示す説明図。
【図２１】従来の写真シール自動販売機での撮像画像のイメージ説明図。
【符号の説明】
１…写真シール自動販売機
４…撮像空間
１２ａ…正面カーテン
１２ｂ…正面側カーテン
１２ｃ…像出入口カーテン
１２ｄ…編集出入口カーテン
１２ｅ…背面カーテン
１２ｆ…内巻き部
１９…デジタルカメラ
２１…ストロボ照明装置
２６…プリンタ
２７…タッチモニタ
４１，４１ａ，４１ｂ…風景補助板
４２…フィルム
１２１…ロールスクリーン装置
１２３…自動ドア
【図１】
0003753064.tif 000002
【図２】
0003753064.tif 000003
【図３】
0003753064.tif 000004
【図４】
0003753064.tif 000005
【図５】
0003753064.tif 000006
【図６】
0003753064.tif 000007
【図７】
0003753064.tif 000008
【図８】
0003753064.tif 000009
【図９】
0003753064.tif 000010
【図１０】
0003753064.tif 000011
【図１１】
0003753064.tif 000012
【図１２】
0003753064.tif 000013
【図１３】
0003753064.tif 000014
【図１４】
0003753064.tif 000015
【図１５】
0003753064.tif 000016
【図１６】
0003753064.tif 000017
【図１７】
0003753064.tif 000018
【図１８】
0003753064.tif 000019
【図１９】
0003753064.tif 000020
【図２０】
0003753064.tif 000021
【図２１】
0003753064.tif 000022